(57)【要約】【課題】電子写真印刷装置を２台接続した場合、第一印刷部の定着機を通過した高温の用紙を第二印刷部で連続印刷を行うと、第二印刷部の感光ドラムの温度が上昇し、感光ドラム、トナー、現像剤に悪影響を及ぼすという問題があった【解決手段】本発明は、排紙機構から遠い位置に配置され単独で両面印刷可能な第一印刷装置と、前記排紙機構から近い位置に配置され単独で両面印刷可能な第二印刷装置とを備え、前記第一印刷装置と前記第二印刷装置は、夫々が用紙搬送手段と電子写真方式の印刷部とを有し、前記第一印刷部と前記第二印刷部とは、冷却機構部を有する接続装置で接続されている電子写真印刷装置において、前記第二印刷部の用紙印刷装置の冷却性能を、前記第一印刷部の用紙印刷装置の冷却性能よりも高く設定したことを特徴とする。【選択図】図１
2004286901.tif 000002
【特許請求の範囲】
【請求項１】
排紙機構から遠い位置に配置され単独で両面印刷可能な第一印刷装置と、前記排紙機構から近い位置に配置され単独で両面印刷可能、かつ、用紙冷却装置を備えた第二印刷装置と、前記第一印刷部で印刷した用紙を前記第二印刷部へ反転して送ることが可能な搬送部とを備え、前記第一印刷装置と前記第二印刷装置は、夫々が用紙搬送手段と電子写真方式の印刷部とを有し、前記夫々の用紙搬送手段は用紙を単独で印刷部へ搬送可能であり、前記第一印刷部で印刷した用紙を前記第二印刷部においても印刷可能であり、第一印刷部と前記第二印刷部とは用紙冷却装置を有する接続装置で接続されている電子写真印刷装置において、前記第二印刷部の用紙冷却装置の冷却性能を、前記第一印刷部の用紙冷却装置の冷却性能よりも高く設定したことを特徴とする電子写真印刷装置。
【請求項２】
前記接続装置の用紙冷却部の冷却性能を、前記第二印刷部の印刷装置の冷却性能よりも高くしたことを特徴とする請求項１項記載の電子写真印刷装置。
【請求項３】
前記接続装置の用紙搬送路長さは、前記第一印刷部の印刷装置の両面印刷搬送路よりも長く、かつ、前記第二印刷部の印刷装置の両面搬送路よりも長いことを特徴とする請求項１項記載の電子写真印刷装置。
【請求項４】
前記接続装置の用紙搬送路長さをＬＳ、前記第一印刷部の印刷装置の用紙搬送路長さをＬ１、前記第二印刷部の印刷装置の用紙搬送路長さをＬ２とするとき、前記各用紙搬送路長さの関係が、（Ｌ１＋Ｌ２）／２＜ＬＳ＜Ｌ１＋Ｌ２の関係にあることを特徴とする請求項１項記載の電子写真装置。
【請求項５】
前記接続装置内の用紙搬送路は略Ｓ字形に形成され、その一側は前記第一印刷部の印刷装置の上部と連結され、他側は前記第二印刷部の印刷装置の下部と連結されることを特徴とする請求項１項記載の電子写真印刷装置。
【請求項６】
前記接続装置の用紙冷却装置は、前記第一印刷部の印刷装置の上部連結部に接続された用紙搬送路の上部に用紙に向かって風を吹き付け、且つ、該接続装置の内部に冷却風が通るように構成したことを特徴とする請求項５項記載の電子写真印刷装置。
【請求項７】
前記接続装置の用紙搬送路を、板厚１ｍｍ以上の鉄板にて構成した一対のペーパガイドにて構成し、且つ、該ペーパガイドの開口面積を、前記接続装置の用紙搬送路全体の３０％以下としたことを特徴とする請求項６項記載の電子写真印刷装置。
【請求項８】
前記第二印刷部の定着機から排出された用紙を反転させて搬送する用紙反転部に用紙冷却装置を設けたことを特徴とする請求項１項記載の電子写真印刷装置。
【請求項９】
前記第二印刷部の印刷装置の用紙冷却装置はファンで構成され、且つ、該用紙冷却装置の対抗する位置に配設された前記用紙搬送路は、該用紙搬送路をフラットな面を有する板厚１ｍｍ以上の鉄板で構成したことを特徴とする請求項８項記載の電子写真印刷装置。
【発明の詳細な説明】
【０００１】
【発明の属する技術分野】
本発明は、記録紙等のシートを供給するシート給送装置から送り出されたシートの表裏両面に印刷可能な電子写真印刷装置に関するものである。
【０００２】
【従来の技術】
従来は、電子写真印刷装置に用紙反転装置を接続し、各々の印刷装置で片面印刷を行い、高速で両面印刷を行っていた。
【０００３】
【発明が解決しようとする課題】
電子写真印刷装置を２台接続した場合、第一印刷部の定着機を通過した高温の用紙を第二印刷部で連続印刷を行うと、第二印刷部の感光ドラムの温度が上昇し、感光ドラム、トナー、現像剤に悪影響を及ぼすという問題があった。
【０００４】
【課題を解決するための手段】
上記課題は、第一印刷部と第二印刷部を接続する接続装置内で用紙を冷却し、また、第二印刷部の用紙反転部に用紙冷却機構を備えることによって解決される。
【０００５】
【発明の実施の形態】
以下に本発明の一実施例を図面を参照して説明する。
【０００６】
図１は本発明の電子写真印刷装置の１実施例を示す全体構成図であり、画像形成装置としてレーザプリンタを例示している。
【０００７】
図１において、１、２、３はシート給送装置であり、シート給送装置３はシート給送装置１、２に比べシート収納量が多く、レーザプリンタに対して大量にシートを供給することができる。シート給送装置１、２、３は、図１の紙面に対し垂直方向へ引出し可能であり、シート給送装置が所定の装着位置に押し込まれてプリンタ本体に装填されると、図示しない光学センサが各シート給送装置の装填を検出し、図示しない昇降テーブル駆動用ギアと係合し、昇降テーブルに積載された用紙の最上面（昇降テーブル上に用紙が存在しない場合は昇降テーブル上面）が、給紙ローラ２０、２１、２２に当接するまで昇降テーブルの上昇動作が行われる。４、４ａは感光ドラムを示し、図示しないコントローラからの信号に基づいて回転を始める。感光ドラム４、４ａが回転を開始すると、図示しないコロナ帯電器によって感光ドラム４、４ａ表面が均一に帯電される。帯電した感光ドラム４、４ａには、光学系１１、１１ａにより静電潜像が形成される。静電潜像は図示しない現像装置の位置に到達するとトナーによって現像され、感光ドラム４、４ａ上にトナー像として可視化される。こうして公知の電子写真プロセスにより形成されたトナー像は転写器５、５ａにより用紙トレイ１、２または３から送り出されてきた用紙に転写される。６、６ａは定着装置であり、用紙に転写されたトナー像を定着させる。なお、１２、１２ａは搬送される用紙の方向を切り替えるゲート部材である。
【０００８】
１４、１４ａは送紙路で、給紙部１、２、３、画像形成手段４、５、６及び４ａ、５ａ、６ａを連絡する用紙搬送路として設けられている。１３、１３ａは引き込み路を示し、画像形成手段４、５、６及び４ａ、５ａ、６ａに対し用紙搬送方向下流側の送紙路１４、１４ａから分岐して設けられており、ゲート部材１２、１２ａの切り替えにより定着装置６、６ａから送り出されてきた用紙を選択的に引き込む。１５、１５ａは戻し路を示し、引き込み路１３、１３ａの途中から分岐し、その終端を画像形成手段４、５、６及び４ａ、５ａ、６ａに対し用紙搬送方向上流側の送紙路１４、１４ａに合流させて設けられている。
【０００９】
従って、用紙の両面に画像記録を行う場合は、定着装置６、６ａから送り出されてきた用紙を引き込み路１３、１３ａへ引き込み、この引き込んだ用紙を戻し路１５、１５ａに送り出すことによって、片面記録済みの用紙を再び画像形成手段に送り込み、これによって両面画像記録が実行される。なお、図において７、８、７ａ、８ａはゲート部材１２、１２ａの前後に設けられた搬送ローラ、９、１０、９ａ、１０ａは引き込み路１３、１３ａ上に設けられた正転／逆転切り替え可能な搬送ローラ、１６、１６ａは引き込み路１３、１３ａに引き込まれた用紙を戻し路１５、１５ａへ案内、あるいは再び送紙路１４、１４ａ側へ戻す様に案内するためのゲート部材である。
【００１０】
第一印刷部２５から出た用紙は、第一印刷部と第二印刷部を繋ぐ接続装置２６の用紙搬送路３１へ入る。用紙搬送路３１の上部にはファンで構成した用紙用紙冷却装置３０が設置され、高温になっている用紙に外気を吹き付けて用紙の冷却と用紙搬送路３１、３２、３３の冷却を行う。用紙冷却装置３０は、第一印刷部の印刷装置の上部連結部に接続された用紙搬送路の上部に用紙に向かって風を吹き付け、且つ、接続装置２６の内部に冷却風が通るように構成している。用紙搬送路３１、３２、３３は略Ｓ字形に形成され、その一側は第一印刷部２５の印刷装置の上部と連結され、他側は第二印刷部２７の印刷装置の下部と連結されている。また、用紙搬送路３１、３２、３３は、厚さ１ｍｍ以上の鉄板で構成したペーパガイドを配設している。ペーパガイドの開口面積は用紙搬送路３１、３２、３３全体の３０％以下としている。またその長さＬＳは、第一印刷部２５及び第二印刷部２７の用紙搬送路長さＬ１、Ｌ２よりも長い搬送路を持ち、用紙搬送時に用紙と接触して用紙が搬送される間に用紙の熱を奪い取る。また搬送路の長さ関係は、（Ｌ１＋Ｌ２）／２＜ＬＳ＜Ｌ１＋Ｌ２になっている。
【００１１】
用紙搬送路３１、３２、３３を通過した用紙は、第二印刷部２７の用紙搬送路３４へ入る。第二印刷部２７も第一印刷部２５と同様のプロセスで印刷が行われるが、両面画像記録を行う場合は、定着装置６ａを通過し用紙が高温になっているため、引き込み路１３ａ上に設けられた正転／逆転切り替え可能な搬送ローラ９ａ、１０ａで反転し、用紙を戻し路１５ａへ向かう間にファンで構成した用紙冷却装置３６で用紙に外気を吹き付けて用紙の冷却を行う。またこの時、用紙冷却装置３６の風圧で用紙を用紙搬送路３５に接触させて、用紙の熱を用紙搬送路３５へ逃がす。前記用紙冷却装置３０の冷却性能は、用紙冷却装置３６の冷却性能よりも高く設定している。
【００１２】
【発明の効果】
本発明によれば、第一印刷部で高温になった用紙は接続装置を通過することにより、第二印刷部の感光ドラム手前での用紙温度が、第一印刷部で両面印刷時の感光ドラム手前の用紙温度と同等以下に下げることが出来る。
【図面の簡単な説明】
【図１】本発明に係る電子写真装置の一実施例を示す構造図である。
【符号の説明】
１、２、３はシート給送装置、４、４ａは感光ドラム、５、５ａは転写器、６、６ａは定着装置、７、７ａ、８、８ａは搬送ローラ、９、９ａ、１０、１０ａは正転／逆転切り替え可能な搬送ローラ、１１、１１ａは光学系、１２、１２ａはゲート部材、１３、１３ａは引き込み路、１４、１４ａは送紙路、１５、１５ａは戻し路、１６、１６ａはゲート部材、２０、２１、２２は給紙ローラ、２５は第一印刷部、２６は接続装置、２７は第二印刷部、３０、３６は用紙冷却装置、３１、３２、３３、３４、３５は用紙搬送路である。
【図１】
2004286901.tif 000003